(57)【要約】【課題】対象物の特定を容易とし、利便性を向上する。【解決手段】無線タグ通信装置３００は、無線タグラベルＴに備えられ、情報を記憶するＩＣ回路部１５０と情報を送受信可能なタグアンテナ１５１とを備えた無線タグ回路素子Ｔｏに対し、無線通信を行うためのリーダアンテナ３０２と、少なくとも１つの無線タグ回路素子ＴｏのタグＩＤを指定し、リーダアンテナ３０２を介し、指定された無線タグ回路素子Ｔｏより情報取得を図り、その情報取得の完了前に、情報取得の対象である無線タグ回路素子Ｔｏに対応した音声データを再生するスピーカ３２８とを有する。【選択図】図３
2009237647.tif 000002
【特許請求の範囲】
【請求項１】
無線タグに備えられ、情報を記憶するＩＣ回路部と情報を送受信可能なタグアンテナとを備えた無線タグ回路素子に対し、無線通信を行うための無線通信手段と、
少なくとも１つの前記無線タグ回路素子の識別情報を指定し、前記無線通信手段を介し、前記指定された前記無線タグ回路素子より情報取得を図るタグ情報取得手段と、
前記タグ情報取得手段における前記識別情報を指定した前記情報取得の完了前に、前記情報取得の対象である前記無線タグ回路素子に対応した音声データを再生する音声再生手段と
を有することを特徴とする無線タグ通信装置。
【請求項２】
少なくとも１つの前記無線タグ回路素子を特定するための情報を操作入力するための操作入力手段を有し、
前記タグ情報取得手段は、
前記操作入力手段の操作入力に基づき対応する前記無線タグ回路素子の識別情報を指定し、前記無線タグ回路素子より情報取得を図り、
前記音声再生手段は、
前記操作入力手段より複数の無線タグ回路素子を特定するための情報が操作入力された場合、前記複数の無線タグ回路素子それぞれに対応する音声データの代表音声を再生する
ことを特徴とする請求項１記載の無線タグ通信装置。
【請求項３】
前記無線タグの音声データと対応する前記無線タグ回路素子の前記識別情報との対応付けを格納保持したデータベースより、音声関連情報の取得を行う音声関連情報取得手段を有し、
前記音声再生手段は、
前記操作入力手段の操作入力に応じ、前記音声関連情報取得手段で取得された前記音声関連情報に基づき、前記無線タグの音声データを再生する
ことを特徴とする請求項２記載の無線タグ通信装置。
【請求項４】
前記音声再生手段による前記音声データの再生を手動指示するための操作指示手段を有し、
前記タグ情報取得手段は、
前記無線通信手段を介し、前記指定された無線タグ回路素子に対し応答を要求する問い合わせ信号を送信する問い合わせ信号送信手段と、
前記問い合わせ信号に対応した前記無線タグ回路素子からの応答信号を、前記無線通信手段を介し受信する応答信号受信手段と、
前記操作指示手段による前記手動指示があった場合には、前記問い合わせ信号送信手段が前記無線通信手段を介し前記問い合わせ信号を送信するより前に、前記無線タグの前記音声データを再生するように、前記音声再生手段を制御する再生制御手段と
を有することを特徴とする請求項３記載の無線タグ通信装置。
【請求項５】
前記音声再生手段による前記音声データの再生中に、再生開始後の経過時間又は再生終了前の残り時間を表す再生時間表示を行う再生表示手段を設けた
ことを特徴とする請求項４記載の無線タグ通信装置。
【請求項６】
前記再生制御手段は、
前記応答信号受信手段が前記無線通信手段を介し前記応答信号を受信した場合、再生している前記無線タグの前記音声データの再生態様を前記受信に対応して変化させるように、前記音声再生手段を制御する
ことを特徴とする請求項５記載の無線タグ通信装置。
【請求項７】
情報を記憶するＩＣ回路部と情報を送受信するタグアンテナとを備えた無線タグ回路素子を配置したタグ媒体を搬送するための搬送手段と、
前記無線タグ回路素子と無線通信による情報送受信を行うための装置側アンテナとを有する無線タグ作成装置であって、
作成される無線タグと対応付けて音声データとして記録するために、操作者が肉声を入力可能な第１音声入力手段
を有することを特徴とする無線タグ作成装置。
【請求項８】
前記第１音声入力手段の入力に基づく音声データを、対応する前記無線タグ回路素子の識別情報と対応付けて出力する音声データ出力手段と、
前記タグ媒体又は前記タグ媒体に貼り合わせる被印字媒体に印字を行う印字手段と
を有することを特徴とする請求項７記載の無線タグ作成装置。
【請求項９】
タグ媒体に備えられ、情報を記憶するＩＣ回路部と情報を送受信するタグアンテナとを備えた無線タグ回路素子と無線通信による情報送受信を行うための装置側アンテナを有し、無線タグを作成する無線タグ作成装置と、
前記無線タグ作成装置で作成される前記無線タグと対応付けて音声データとして記録するために、操作者が肉声を入力可能な第２音声入力手段と、
前記無線タグ作成装置で作成された前記無線タグに備えられた前記無線タグ回路素子より、無線通信を介し情報取得を図る情報取得手段と；前記情報取得手段における前記情報取得の完了前に、前記情報取得の対象である前記無線タグ回路素子に対応した前記音声データを再生する音声再生手段と；を有する無線タグ通信装置と
を有することを特徴とする無線タグの音声管理システム。
【請求項１０】
前記無線タグ作成装置で作成された前記無線タグに備えられた前記無線タグ回路素子の識別情報を、前記第２音声入力手段で入力された前記音声データと対応付けて格納保持するデータベースを有し、
前記無線タグ通信装置の前記音声再生手段は、
前記データベースへのアクセスに基づき取得した、前記無線タグ回路素子に対応する前記音声データを再生する
ことを特徴とする請求項９記載の無線タグの音声管理システム。
【発明の詳細な説明】
【技術分野】
【０００１】
本発明は、情報を記憶するＩＣ回路部と情報を送受信可能なタグアンテナとを備えた無線タグ回路素子との間で無線通信を行う無線タグ通信装置、無線タグ回路素子を有する無線タグラベルを作成するタグラベル作成装置、及びこれら無線タグ通信装置及びタグラベル作成装置を有する無線タグの音声管理システムに関する。
【背景技術】
【０００２】
近年、所定の情報を記憶するＩＣ回路部とこのＩＣ回路部に接続されて情報の送受信を行うタグアンテナを備えた無線タグ回路素子を有する小型の無線タグと、リーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが提唱されており、様々な分野において実用化されつつある。
【０００３】
このように種々の分野において活用されつつあるＲＦＩＤシステムの１つとして、無線タグ回路素子に対し無線通信により情報の読み取りを行う無線タグ通信装置がある（例えば、特許文献１参照）。この無線タグ通信装置（印刷物検証装置）は表示手段（表示部）を有しており、無線タグ回路素子（ＩＣチップ部）に対し無線通信を行い、情報の取得に成功すると、表示手段で取得した情報に対応する表示を行うようになっている。
【特許文献１】特開２００１−１３４６７２号公報（第９頁、第１５図）
【発明の開示】
【発明が解決しようとする課題】
【０００４】
一般に、無線タグ通信装置を用いて探索対象である物品の探索を行う場合、操作者は対象物が無線タグ通信装置の通信範囲内に入るように対象物の近傍に移動する必要がある。さらに、無線タグ通信装置においては、対象物からある程度離れた位置において情報が取得され対象物が検出されるため、検出後における対象物の最終的な特定は操作者が行う必要がある。このとき、上記従来技術の無線タグ通信装置では、無線タグ回路素子からの情報取得に成功した際に表示手段で対応する表示を行うが、情報取得前には何ら表示が行われない。このため、操作者は目視等によって対象物を探し、対象物近傍に移動する必要があった。さらに検出後においても、例えば対象物の近傍に当該対象物と外観の似た物品等が存在するような場合には、対象物の最終的な特定が容易ではないという問題があった。
【０００５】
本発明の目的は、対象物の特定が容易となり、利便性を向上することができる無線タグ通信装置、タグラベル作成装置、及び無線タグの音声管理システムを提供することにある。
【課題を解決するための手段】
【０００６】
上記目的を達成するために、第１の発明は、無線タグに備えられ、情報を記憶するＩＣ回路部と情報を送受信可能なタグアンテナとを備えた無線タグ回路素子に対し、無線通信を行うための無線通信手段と、少なくとも１つの前記無線タグ回路素子の識別情報を指定し、前記無線通信手段を介し、前記指定された前記無線タグ回路素子より情報取得を図るタグ情報取得手段と、前記タグ情報取得手段における前記識別情報を指定した前記情報取得の完了前に、前記情報取得の対象である前記無線タグ回路素子に対応した音声データを再生する音声再生手段とを有することを特徴とする。
【０００７】
本願第１発明の無線タグ通信装置においては、無線通信手段を介した無線通信によって、探索対象である物品等に設けられた無線タグの無線タグ回路素子に対する情報読み取りを行う。探索時には、タグ情報取得手段が、対象となる無線タグ回路素子の識別情報を指定し、無線通信手段を介し、上記指定した無線タグ回路素子からの情報取得を図る。このとき、タグ情報取得手段が情報取得を開始すると、（情報取得完了より前に）その情報取得対象の無線タグ回路素子に対応する無線タグの音声データが音声再生手段で再生される。これにより、操作者は、探そうとする対象物に対応した無線タグに関する所定の音声データを、無線タグが見つかる前から聴覚的に認識しつつ、当該対象物を探索することができる。この結果、対象物の特定が容易となり、利便性を向上することができる。
【０００８】
第２発明は、上記第１発明において、少なくとも１つの前記無線タグ回路素子を特定するための情報を操作入力するための操作入力手段を有し、前記タグ情報取得手段は、前記操作入力手段の操作入力に基づき対応する前記無線タグ回路素子の識別情報を指定し、前記無線タグ回路素子より情報取得を図り、前記音声再生手段は、前記操作入力手段より複数の無線タグ回路素子を特定するための情報が操作入力された場合、前記複数の無線タグ回路素子それぞれに対応する音声データの代表音声を再生することを特徴とする。
【０００９】
本願第２発明においては、探索時には、操作者が、操作入力手段に対し探索対象物に対応した無線タグ回路素子を特定するための情報（対象物の名称、無線タグ回路素子の識別情報、データベースの検索条件等）を操作入力する。タグ情報取得手段は、その操作入力に応じて対象となる無線タグ回路素子の識別情報を指定することで、無線通信手段を介して情報取得を図ることができる。ここで、操作者が複数の対象物の探索を意図して複数の無線タグ回路素子を特定する情報を操作入力した場合には、それら複数の対象物には使用用途や属性等の共通点がある可能性が高い。これに対応して、本願第２発明においては、このような場合に、すべての音声データをばらばらに再生するのでなく、それらの総称や共通部分等の代表音声のみを再生するようにする。これにより、上記操作者の意図に合致したわかりやすい音声データの再生を行うことができ、複数対象物探索時において、利便性をさらに向上することができる。
【００１０】
第３発明は、上記第２発明において、前記無線タグの音声データと対応する前記無線タグ回路素子の前記識別情報との対応付けを格納保持したデータベースより、音声関連情報の取得を行う音声関連情報取得手段を有し、前記音声再生手段は、前記操作入力手段の操作入力に応じ、前記音声関連情報取得手段で取得された前記音声関連情報に基づき、前記無線タグの音声データを再生することを特徴とする。
【００１１】
本願第３発明においては、予め、無線タグの音声データと、対応する無線タグ回路素子の識別情報（いわゆるタグＩＤ）との対応付けを生成し、その対応付けをデータベースに格納保持しておく。探索の際には、音声関連情報取得手段がそのデータベースより音声関連情報（上記対応付けそのものや上記対応付けに基づく音声データ等）を取得することで、これに応じて音声再生手段で無線タグの音声データを再生する。このような方式とすることで、無線タグ作成時において無線タグ作成装置（又は無線タグ作成装置に接続される無線タグ編集装置）からの音声データを用いてデータベースに情報を蓄積しておき、探索時にはそのデータベース化して蓄積した情報を元に無線タグの音声データを再生しつつ探索を行うことができる。
【００１２】
第４発明は、上記第３発明において、前記音声再生手段による前記音声データの再生を手動指示するための操作指示手段を有し、前記タグ情報取得手段は、前記無線通信手段を介し、前記指定された無線タグ回路素子に対し応答を要求する問い合わせ信号を送信する問い合わせ信号送信手段と、前記問い合わせ信号に対応した前記無線タグ回路素子からの応答信号を、前記無線通信手段を介し受信する応答信号受信手段と、前記操作指示手段による前記手動指示があった場合には、前記問い合わせ信号送信手段が前記無線通信手段を介し前記問い合わせ信号を送信するより前に、前記無線タグの前記音声データを再生するように、前記音声再生手段を制御する再生制御手段とを有することを特徴とする。
【００１３】
探索時において、問い合わせ信号送信手段から無線通信手段を介し問い合わせ信号を送信し、これに対応する応答信号を無線通信手段を介し応答信号受信手段で受信することにより、指定された無線タグ回路素子に対する情報読み取りを図ることができる。また、操作指示手段での手動指示に基づき、探索時の問い合わせ信号の送信より前に音声データが再生されるので、操作者は、探そうとする対象物に対応した無線タグに関する所定の音声データを、無線タグが見つかる前から確実に聴覚的に認識することができる。また、操作指示手段を用いることで操作者は、所望のタイミングで、音声データの再生を行うことができる。この結果、無線タグの探索開始の際に始まった音声データの再生がいったん終了したとしても、操作者の手動指示により再び音声データを再生させることが可能である。したがって、利便性をさらに向上することができる。
【００１４】
第５発明は、上記第４発明において、前記音声再生手段による前記音声データの再生中に、再生開始後の経過時間又は再生終了前の残り時間を表す再生時間表示を行う再生表示手段を設けたことを特徴とする。
【００１５】
これにより、その時点で再生されている音声が、音声データ全体のどのあたりに相当するのか、あるいは音声があとどれくらい続くのか等を操作者が把握しやすくなる。この結果、さらに利便性を向上することができる。
【００１６】
第６発明は、上記第５発明において、前記再生制御手段は、前記応答信号受信手段が前記無線通信手段を介し前記応答信号を受信した場合、再生している前記無線タグの前記音声データの再生態様を前記受信に対応して変化させるように、前記音声再生手段を制御することを特徴とする。
【００１７】
探索中において音声再生手段で再生されている無線タグの音声データが、対応する無線タグ回路素子からの応答信号が受信されると、音声制御手段により、音声態様が変更される。これにより、探索が成功したことを操作者に対し聴覚的に確実に認識させることができる。
【００１８】
上記目的を達成するために、本願第７発明は、情報を記憶するＩＣ回路部と情報を送受信するタグアンテナとを備えた無線タグ回路素子を配置したタグ媒体を搬送するための搬送手段と、前記無線タグ回路素子と無線通信による情報送受信を行うための装置側アンテナとを有する無線タグ作成装置であって、作成される無線タグと対応付けて音声データとして記録するために、操作者が肉声を入力可能な第１音声入力手段を有することを特徴とする。
【００１９】
本願第７発明の無線タグ作成装置では、搬送手段によってタグ媒体が搬送され、また、装置側アンテナを介し無線タグ回路素子と情報送受信が行われて、無線タグが作成される。このとき、操作者が第１音声入力手段を介し肉声で入力を行うことで、その入力した肉声が、作成された無線タグと対応付けられた音声データとして、例えばデータベースに格納される。このようにして作成された無線タグが、対象となる物品等に設けられる。
【００２０】
一方、そのようにして無線タグが設けられた物品等の探索時には、例えば、無線タグ通信装置により、探索対象である物品等に設けた無線タグに対し、情報読み取りが行われる。ここで、本願第７発明においては、上記のように、無線タグ作成時に、音声データが（例えばデータベースに）予め格納されている。これにより、無線タグ通信装置の上記探索時において、情報読み取りの開始時にデータベースにアクセスし、その情報読み取り対象の無線タグに対応する音声データを再生させることが可能となる。この結果、操作者は、探そうとする対象物に対応した無線タグに関する上記音声データを、無線タグが見つかる前から聴覚的に認識しつつ、当該対象物を探索することができる。したがって、対象物の特定が容易となり、利便性を向上することができる。
【００２１】
第８発明は、上記第７発明において、前記音声入力手段の入力に基づく音声データを、対応する前記無線タグ回路素子の識別情報と対応付けて出力する音声データ出力手段と、前記タグ媒体又は前記タグ媒体に貼り合わせる被印字媒体に印字を行う印字手段とを有することを特徴とする。
【００２２】
音声入力手段での肉声入力に基づく音声データが、無線タグ回路素子の識別情報と対応付ける形で、音声データ出力手段から出力され、例えばデータベースに格納される。そして、例えば無線タグ通信装置による物品等の探索時には、情報読み取り対象の無線タグ回路素子の識別情報をキーとしてデータベースにアクセスし、対応する無線タグの音声データを取得して音声データを再生させることが可能となる。また、印字手段により印字付きの無線タグを作成することができる。この結果、探索時において操作者が視覚的に無線タグやその無線タグ回路素子の記憶情報を認識しやすくなり、さらに利便性が向上する。
【００２３】
上記目的を達成するために、本願第９発明は、タグ媒体に備えられ、情報を記憶するＩＣ回路部と情報を送受信するタグアンテナとを備えた無線タグ回路素子と無線通信による情報送受信を行うための装置側アンテナを有し、無線タグを作成する無線タグ作成装置と、前記無線タグ作成装置で作成される前記無線タグと対応付けて音声データとして記録するために、操作者が肉声を入力可能な第２音声入力手段と、前記無線タグ作成装置で作成された前記無線タグに備えられた前記無線タグ回路素子より、無線通信を介し情報取得を図る情報取得手段と；前記情報取得手段における前記情報取得の完了前に、前記情報取得の対象である前記無線タグ回路素子に対応した前記音声データを再生する音声再生手段と；を有する無線タグ通信装置とを有することを特徴とする。
【００２４】
本願第９発明の音声管理システムでは、無線タグ作成装置において、装置側アンテナを介し無線タグ回路素子と情報送受信が行われて無線タグが作成される。このとき、操作者が第２音声入力手段を介し肉声で入力を行うことで、その入力した肉声が、作成された無線タグと対応付けられた音声データとして記録（例えばデータベースに格納）される。このようにして作成された無線タグが、対象となる物品等に設けられる。
【００２５】
一方、そのようにして無線タグが設けられた物品等の探索は、無線タグ通信装置を用いて行われる。無線タグ通信装置では、無線通信手段を介した無線通信によって、探索対象である物品等に設けられた無線タグの無線タグ回路素子に対する情報読み取りを行う。探索時には、情報取得手段が、無線通信手段を介し、上記無線タグに備えられた無線タグ回路素子からの情報取得を図る。このとき、情報取得手段が情報取得を完了するより前に、情報取得対象の無線タグ回路素子に対応する音声データが音声再生手段で再生される。これにより、操作者は、探そうとする対象物に対応した無線タグに関する上記音声データを、無線タグが見つかる前から聴覚的に認識しつつ、当該対象物を探索することができる。したがって、対象物の特定が容易となり、利便性を向上することができる。
【００２６】
第１０発明は、上記第９発明において、前記無線タグ作成装置で作成された前記無線タグに備えられた前記無線タグ回路素子の識別情報を、前記第２音声入力手段で入力された前記音声データと対応付けて格納保持するデータベースを有し、前記無線タグ通信装置の前記音声再生手段は、前記データベースへのアクセスに基づき取得した、前記無線タグ回路素子に対応する前記音声データを再生することを特徴とする。
【００２７】
本願第１０発明においては、予め、無線タグの作成時に第２音声入力手段での肉声入力に基づく音声データと、対応する無線タグ回路素子の識別情報（いわゆるタグＩＤ）とを対応付けた対応付けを生成し、その対応付けをデータベースに格納保持しておく。探索の際には、そのデータベースにアクセスすることで取得した無線タグの音声データを、音声再生手段で再生する。このような方式とすることで、無線タグ作成時において無線タグ作成装置（又は無線タグ作成装置に接続される無線タグ編集装置）からの音声データを用いてデータベースに情報を蓄積しておき、探索時にはそのデータベース化して蓄積した情報を元に無線タグの音声データを再生しつつ探索を行うことができる。
【発明の効果】
【００２８】
本発明によれば、対象物の特定が容易となるので、操作者の利便性を向上することができる。
【発明を実施するための最良の形態】
【００２９】
以下、本発明の一実施の形態を図面を参照しつつ説明する。
【００３０】
図１に、本実施形態の無線タグ通信装置３００を有する無線タグの音声管理システム１の全体構成を示す。
【００３１】
図１に示すように、無線タグ通信装置３００は、適宜の通信回線等からなる通信ネットワークＮＷを介して、タグラベル作成装置１００（無線タグ作成装置。但し、後述のマイク１２０は図示省略している）と、ＰＣ２００（無線タグ編集装置）と、データベースＤＢを有するサーバ４００などに接続されている。なお、上記無線タグ通信装置３００と通信回線ＮＷとは無線接続（無線ＬＡＮ等）されているため、図中では破線で示している（後述する図３も同様）。
【００３２】
上記ＰＣ２００は、表示部２０１及び操作部２０２を有し、操作者は表示部２０１に表示された表示画面を参照しつつ、タグラベル作成装置１００に対し作成する無線タグラベルＴについて、操作部２０２を用いて各種指令の入力や情報の入力を行うことが可能となっている。
【００３３】
上記無線タグ通信装置３００は、上記タグラベル作成装置１００で作成される無線タグラベルＴ（無線タグ）が貼り付けられた物品等を、無線タグラベルＴの無線タグ回路素子Ｔｏを介して探索するのに使用される。本実施形態では、無線タグ通信装置３００は、後述するように、この探索の利便性を向上するために、無線タグ回路素子Ｔｏに対応した音声データ（無線タグラベルＴに関する音声データ）を再生するスピーカ３２８等を備えている。
【００３４】
すなわち、無線タグ通信装置３００は、図２に示すように、筐体３０１を有する。そして、その筐体３０１には、図中上側より、検出ランプ３１１及び送信出力インジケータ３１２と、各種表示を行う表示部３１３と、左右方向に略一直線状に配置され、５つの処理モードの中からモード選択を行うモード選択キー３２１，３２２，３２３，３２４，３２５と、上下方向にそれぞれ対応する方向キー３２６Ｕ，３２６Ｄ及びこれらの間に配置された決定キー３２７と、これらのキー３２６，３２７の右側に配置された音声データを再生するためのスピーカ３２８（音声再生手段）と、このスピーカ３２８による音声データの再生を手動指示するための再生ボタン３３０（操作指示手段）と、上記各処理モードにおける処理開始・停止を行う開始／停止キー３２９とを有している。そしてこれら各部のうち、モード選択キー３２１，３２２，３２３，３２４，３２５と、２つの方向キー３２６Ｕ，３２６Ｄ、決定キー３２７、及び開始／停止キー３２９が、特許請求の範囲各項記載の少なくとも１つの無線タグ回路素子を特定するための情報を操作入力するための操作入力手段を構成する。なお、以下適宜、これらのキー３２１，３２２，３２３，３２４，３２５，３２６Ｕ，３２６Ｄ，３２７，３２９及び再生ボタン３３０を「操作部」と記載する。
【００３５】
上記表示部３１３は、無線タグ通信装置３００が行う各種の処理モードの切換状況や各処理モードにおける詳細内容（各種情報やメッセージ）を文字や記号で表示すると共に、所定の処理モード（後述するシングルサーチモード、マルチサーチモード）においては、探索対象である物品等（人物等も含む。以下同様）の名称を表示するようになっており、例えば液晶や有機ＥＬ等を用いたパネルで構成されている。図示する例では、無線タグ通信装置３００による探索対象の物品名が「第１２回審判  弁論資料」であることを表示している。表示部３１３内の下部には、再生時間バー３１５（再生表示手段）が表示されるようになっている。この再生時間バー３１５は、スピーカ３２８による音声データの再生中に、再生開始後の経過時間又は再生終了前の残り時間を表す再生時間表示を行うようになっている。
【００３６】
上記処理モードには、上記モード選択キー３２１，３２２，３２３，３２４，３２５にそれぞれ対応するシングルサーチモード、マルチサーチモード、インベントリモード、リストアップモード、及びオプションモードがある。
【００３７】
シングルサーチモードとは、１つの探索対象を指定し、当該探索対象（に対応する無線タグラベルＴ。以下同様）が無線タグ通信装置３００の通信可能領域の範囲内に存在しているか否かを常に問いかけるよう通信し続ける処理モードである。また、マルチサーチモードとは、複数の探索対象を指定し、当該複数の探索対象が無線タグ通信装置３００の通信可能領域の範囲内に存在しているか否かを常に問いかけるよう通信し続ける処理モードである。
【００３８】
また、インベントリモードとは、予め指定しておいた複数の探索対象が検出できるか否かだけを試行する処理モードである。このモードは、存在の有無だけを問題としているため、指定した複数の探索対象を全て検出した時点で処理を終了する。また、リストアップモードとは、探索対象の指定は行わず、無線タグ通信装置３００の通信可能領域の範囲内に存在する探索対象と無線通信を行い、検出した探索対象を全てリストアップする処理モードである。さらに、オプションモードとは、無線タグ通信装置３００における各種機能を操作者が設定するための処理モードである。スピーカ３２８による音声データの再生は、これらインベントリモード、リストアップモード、オプションモードでは行われず、シングルサーチモード及びマルチサーチモードにおいてのみ行われる。
【００３９】
また、上記検出ランプ３１１は、ＬＥＤなどの発光素子を用いた表示機能部であり、点灯・非点灯の区別によって指定した探索対象の検出の有無を表示するものである。また、送信出力インジケータ３１２は、図中の上下方向に並ぶ３つのＬＥＤ３１２ａ，３１２ｂ，３１２ｃ（発光素子）で構成されており、それらの点灯個数によって送信出力の大きさを段階的に表示（図示する例では３段階で表示）するものである。
【００４０】
また、上下方向にそれぞれ配置されている２つの方向キー３２６Ｕ，３２６Ｄは、それぞれの位置関係に対応して上下の方向を指示可能に割り当てられたキースイッチであり、表示部３１３中に表示されるカーソルの移動指示や、複数の選択肢の選択指示などに用いられる。また、２つの方向キー３２６Ｕ，３２６Ｄの中心に配置されている決定キー３２７はそのような選択の決定指示などに用いられる。
【００４１】
また、開始／停止キー３２９は、探索対象の無線タグラベルＴに対して各種の指示コマンドや情報の送信の開始（無線通信の開始）及び停止を指示するために用いられるキースイッチである。
【００４２】
図３に無線タグの音声管理システム１のシステム全体の概念的機能構成を示す。なお、図中に示す矢印は信号の流れの一例を示すものであり、信号の流れ方向を限定するものではない。
【００４３】
上記タグラベル作成装置１００は、情報を記憶するＩＣ回路部１５０とこのＩＣ回路部１５０に接続されるタグアンテナ１５１とを有する無線タグ回路素子Ｔｏ（後述の図６参照）を備えた上記無線タグラベルＴを作成するためのものである。タグラベル作成装置１００は、図３に示すように、上記無線タグ回路素子Ｔｏが所定間隔で備えられたタグテープ１０３（タグ媒体）を巻回したタグテープロール１０４（本来は渦巻状であるが簡略化して同心円で図示している）を備えたカートリッジ１１０を着脱可能なカートリッジホルダ１１１と、上記カートリッジ１１０内のタグテープロール１０４から繰り出されたタグテープ１０３のうち各無線タグ回路素子Ｔｏに対応した領域に所定の印字を行う印字ヘッド１０５（印字手段）と、タグテープ１０３を搬送する搬送ローラ１０８（搬送手段）と、タグテープ１０３に備えられる無線タグ回路素子Ｔｏとの間で無線通信により情報の送受信を行い無線タグ情報の書き込みを行う装置側アンテナ１０６及び高周波回路１０２と、タグテープ１０３への印字及び無線タグ回路素子Ｔｏへの情報書き込みが終了したタグテープ１０３を所定の長さに切断して前述の無線タグラベルＴとするカッタ１０７と、作成される無線タグラベルＴに関する情報を音声データとして無線タグラベルＴと対応付けてサーバ４００のデータベースＤＢ等に記録するために、操作者が無線タグラベルＴに関する情報を肉声で入力することができるマイク１２０（第１音声入力手段。なお、第２音声入力手段として、タグラベル作成装置１００とは別体に設けてもよい）と、このマイク１２０から入力される操作者の肉声を符号化・データ圧縮して音声データ化する音声エンコーダ１２２と、操作者が操作入力可能な操作部１１２と、上記ＰＣ２００、無線タグ通信装置３００、及びサーバ４００と通信回線ＮＷを介して行われる通信の制御を行うネットワーク通信制御部１０９と、以上の高周波回路１０２、印字ヘッド１０５、カッタ１０７、搬送ローラ１０８、ネットワーク通信制御部１０９、及び音声エンコーダ１２２等を含むタグラベル作成装置１００全体の動作制御を行う制御回路１０１とを有する。
【００４４】
ＰＣ２００は、各種操作・入力画面等の表示を行うための上記表示部２０１と、操作者が操作入力を行うための適宜のボタン、キー、マウス等を備えた上記操作部２０２と、上記タグラベル作成装置１００、無線タグ通信装置３００、及びサーバ４００との間で通信回線ＮＷを介して行われる通信の制御を行うネットワーク通信制御部２０４と、これら表示部２０１、操作部２０２、及びネットワーク通信制御部２０４を含むＰＣ２００全体の動作を制御する制御回路２０５とを有する。
【００４５】
無線タグ通信装置３００は、上記表示部３１３及び操作部３２１〜３２７，３２９，３３０と、上記無線タグ回路素子Ｔｏとの間で無線通信により信号の授受を行うリーダアンテナ３０２（無線通信手段）と、このリーダアンテナ３０２を介し上記無線タグ回路素子ＴｏのＩＣ回路部１５０へ無線通信によりアクセスすると共に、その無線タグ回路素子Ｔｏから読み出された信号を処理する高周波回路３３１と、上記タグラベル作成装置１００、ＰＣ２００、及びサーバ４００と通信回線ＮＷを介して行われる通信の制御を行うネットワーク通信制御部３３２と、サーバ４００のデータベースＤＢ等から取得した音声データを復号・再生する音声デコーダ３３６と、この音声デコーダ３３６からの出力を増幅するアンプ３３８と、アンプ３３８で増幅された出力で駆動される上記スピーカ３２８と、上記高周波回路３３１、ネットワーク通信制御部３３２、及びスピーカ３２８等を含む無線タグ通信装置３００全体の制御を行う制御回路３３３とを有する。
【００４６】
図４に、上記無線タグ通信装置３００の制御回路３３３の機能構成を示す。なお、特に図示はしないが、タグラベル作成装置１００の制御回路１０１もここに示す制御回路３３３とほぼ同等の機能構成となっている。
【００４７】
図４に示すように、制御回路３３３は、ＣＰＵ３３３Ａと、ＲＯＭ３３３Ｂと、ＲＡＭ３３３Ｃと、上記高周波回路３３１及び上記リーダアンテナ３０２を介し行う無線タグ回路素子Ｔｏとの無線通信の制御を行う無線タグ通信制御部３３３Ｄとを備えている。上記ＣＰＵ３３３Ａは、ＲＡＭ３３３Ｃの一時記憶機能を利用しつつＲＯＭ３３３Ｂに予め記憶されたプログラムに従って信号処理を行い、それによって無線タグ通信装置３００全体の各種制御を行うものである。
【００４８】
図５に、上記無線タグ通信装置３００の高周波回路３３１の機能構成を示す。なお、図中に示す矢印は信号の流れの一例を示すものであり、信号の流れ方向を限定するものではない。
【００４９】
図５に示すように、高周波回路３３１は、上記リーダアンテナ３０２を介し上記無線タグ回路素子ＴｏのＩＣ回路部１５０の情報へアクセスするものであり、また無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００５０】
高周波回路３３１は、リーダアンテナ３０２を介し無線タグ回路素子Ｔｏに対して信号を送信する送信部１４２と、リーダアンテナ３０２により受信された無線タグ回路素子Ｔｏからの応答波を入力する受信部１４３と、送受分離器１４４とから構成される。
【００５１】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路３３３の制御により水晶振動子１４５Ａの出力を分周／逓倍して所定周波数の搬送波を発生させるＰＬＬ（Ｐｈａｓｅ  Ｌｏｃｋｅｄ  Ｌｏｏｐ）１４５Ｂ及びＶＣＯ（Ｖｏｌｔａｇｅ  Ｃｏｎｔｒｏｌｌｅｄ  Ｏｓｃｉｌｌａｔｏｒ）１４５Ｃと、上記制御回路３３３から供給される信号に基づいて上記発生させられた搬送波を変調（この例では制御回路３３３からの「ＴＸ＿ＡＳＫ」信号に基づく振幅変調）する送信乗算回路１４６（但し振幅変調の場合は増幅率可変アンプ等を用いてもよい）と、その送信乗算回路１４６により変調された変調波を増幅（この例では制御回路３３３からの「ＴＸ＿ＰＷＲ」信号によって増幅率が決定される増幅）して所望の質問波を生成する可変送信アンプ１４７とを備えている。そして、上記発生される搬送波は、例えばＵＨＦ帯、マイクロ波帯、あるいは短波帯の周波数を用いており、上記可変送信アンプ１４７の出力は、送受分離器１４４を介しリーダアンテナ３０２に伝達されて無線タグ回路素子ＴｏのＩＣ回路部１５０に供給される。なお、質問波は上記のように変調した信号（変調波）に限られず、単なる搬送波のみの場合もある。
【００５２】
受信部１４３は、リーダアンテナ３０２で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記リーダアンテナ３０２で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路３３３に入力されて処理される。
【００５３】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」が制御回路３３３に入力されるようになっている。このようにして、無線タグ通信装置３００では、Ｉ−Ｑ直交復調によって無線タグ回路素子Ｔｏからの応答波の復調が行われる。
【００５４】
図６に、上記無線タグ回路素子Ｔｏの機能的構成の一例を示す。なお、図中に示す矢印は信号の流れの一例を示すものであり、信号の流れ方向を限定するものではない。
【００５５】
図６に示すように、無線タグ回路素子Ｔｏは、上述したように無線タグ通信装置３００のリーダアンテナ３０２と非接触で信号の送受信を行う上記タグアンテナ１５１と、このタグアンテナ１５１に接続された上記ＩＣ回路部１５０とを有している。
【００５６】
ＩＣ回路部１５０は、タグアンテナ１５１により受信された質問波（質問信号）を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介して上記無線タグ回路素子Ｔｏの作動を制御するための上記制御部１５７とを備えている。
【００５７】
変復調部１５６は、タグアンテナ１５１により受信された上記無線タグ通信装置３００のリーダアンテナ３０２からの質問波の復調を行い、また、上記制御部１５７からの返信信号を変調し、タグアンテナ１５１より応答波（タグＩＤを含む信号）として送信する。
【００５８】
クロック抽出部１５４は受信した信号からクロック成分を抽出し、受信した信号のクロック成分の周波数に対応したクロックを制御部１５７に供給する。
【００５９】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００６０】
図７（ａ）及び図７（ｂ）に、上記タグラベル作成装置１００で作成された無線タグラベルＴの一例を示す。
【００６１】
無線タグラベルＴは、図７（ｂ）に示すように、表面側（図７（ｂ）中上側）よりその反対側（図７（ｂ）中下側）へ向かって、感熱紙１０３ｃ、粘着層１０３ｂ、剥離紙１０３ａの順で積層し構成されている。そして感熱紙１０３ｃの裏側に、ＩＣ回路部１５０及びタグアンテナ１５１からなる上記無線タグ回路素子Ｔｏが備えられている。この無線タグラベルＴの感熱紙１０３ｃの表面の所定の印字領域Ｓには、図７（ａ）に示すように、印字Ｒがなされている。この例では、無線タグラベルＴの印字Ｒは「第１２回審判  弁論資料」の文字であり、無線タグラベルＴは、第１２回審判弁論資料を綴じた例えばファイルに貼り付けられる。無線タグラベルＴのファイルへの貼り付けは、剥離紙１０３ａを除去して露出した粘着層１０３ｂによって行われる。
【００６２】
ここで、本実施形態の最大の特徴の一つは、探索対象の探索時に情報取得対象の無線タグ回路素子Ｔｏから情報取得を完了する前から、その情報取得対象の無線タグ回路素子Ｔｏに対応した音声データ、言い換えれば探索対象に関する音声データをスピーカ３２８で再生し音声ガイドを行うことにある。このことを図８及び図９により説明する。
【００６３】
図８に、上記のような無線タグラベルＴの音声データの再生による音声ガイドを行わない場合の例（比較例）を示す。本比較例は、無線タグ通信装置３００Ａによって所定の文書ファイルＦを探索し、探索対象の無線タグ回路素子Ｔｏを検出したときに、探索完了表示を行う例である。
【００６４】
無線タグ通信装置３００Ａを用いて文書ファイルＦの探索を行う場合、操作者は、文書ファイルＦに貼り付けられている無線タグラベルＴの無線タグ回路素子Ｔｏからタグ情報（タグＩＤを含む）を取得するべく、探索文書ファイルＦに対応するタグＩＤを指定して通信を開始する。その後、図８（Ａ）に示すように、無線タグ通信装置３００Ａを文書ファイルＦの列に沿って移動する。そして、図８（Ｂ）に示すように、上記の移動により文書ファイルＦが無線タグ通信装置３００Ａの通信範囲Ｃ内に入り、無線タグ回路素子Ｔｏからタグ情報を取得して文書ファイルＦが検出されると、表示部３１３Ａに適宜の探索完了表示が行われる。操作者は、上記のような表示部３１３Ａの探索完了表示を見て、文書ファイルＦが検出された位置で、目視によって文書ファイルＦの中から目的の文書ファイルＦを探す（全ての文書ファイルＦの背表紙には、ファイルＦの書類名が印字された無線タグラベルＴが貼り付けられている）。これにより、操作者は、文書ファイルＦの最終的な特定を行う。
【００６５】
上述したように、上記比較例の場合、以下のような問題がある。すなわち、探索対象の文書ファイルＦの探索中には、探索対象に関するガイドが何も行われないので、操作者は目視等によって文書ファイルＦを探しながら近傍に移動する必要がある。さらに検出後においても、図８に示すように文書ファイルＦの近傍に外観の似たファイルが複数存在するような場合には、文書ファイルＦの最終的な特定が容易ではない（目的のファイルが見つかったこと、それが近くにあること、はわかっても、一体どのファイルなのかは特定しづらい）。
【００６６】
これに対し、本実施形態では、図９（Ａ）に示すように、無線タグ通信装置３００を文書ファイルＦの列に沿って移動して文書ファイルＦを探索する際、文書ファイルＦの無線タグ回路素子Ｔｏからタグ情報取得を完了する前から、探索対象に関する音声データをスピーカ３２８で再生し、例えば「第１２回審判弁論資料を探しています」の音声を流す。そして、無線タグ通信装置３００の移動により、目的の文書ファイルＦの無線タグ回路素子Ｔｏが無線タグ通信装置３００の通信範囲Ｃ内に入り、目的の文書ファイルＦが検出されると、スピーカ３２から例えば「第１２回審判弁論資料が発見されました」の音声を流す。
【００６７】
なお、別個の音声録音が煩雑な場合は、（音声の文言の不自然さは度外視して）もっと簡易な音声の用意の仕方でもよい。すなわち、探索対象を表す本体用文言の録音「第１２回審判弁論資料です」と、末尾用文言（動作に応じた説明句）の録音「を探しています」「が発見されました」とを（末尾用文言は例えばテーブル形式で）用意しておく。そして、文書ファイルＦの無線タグ回路素子Ｔｏからタグ情報取得を完了する前は「第１２回審判弁論資料です」「を探しています」とつなげて再生する（すなわち、”第１２回審判弁論資料ですを探しています”という音声となる）ようにし、目的の文書ファイルＦが検出されると「第１２回審判弁論資料です」「が発見されました」とつなげて再生する（すなわち、”第１２回審判弁論資料ですが発見されました”という音声となる）ようにしてもよい。
【００６８】
以上により、操作者は、探そうとする文書ファイルＦ（第１２回審判弁論資料）が見つかる前から、無線タグラベルＴに関する音声データ、つまり探索対象に関する音声データをガイドとして視覚的に認識しつつ、当該文書ファイルＦを探索することができる。その結果、上記探索時に探索対象に関する音声データによるガイドのない比較例の場合に比べ、検出前から探索対象を確実に認識でき、文書ファイルＦ、（この例では第１２回審判弁論資料）の最終的な特定が容易となる。以下、この内容の詳細について説明する。
【００６９】
図１０は、無線タグラベルＴを作成する際にタグラベル作成装置１００の制御回路１０１によって実行される制御手順を示すフローチャートである。
【００７０】
まずステップＳ１１０では、制御回路１０１は、ＰＣ２００（の制御回路２０５）より通信回線ＮＷ及びネットワーク通信制御部１０９を介して作成する無線タグラベルＴの印字データ、及びタグ書き込みデータ（タグＩＤ、及び上記の例のファイルの名称等の対象物情報を含む）を受信したか否かの判定を行う。ＰＣ２００より印字データ等を受信するまで本ステップを繰り返し、受信した場合には次のステップＳ１１５に移る。
【００７１】
ステップＳ１１５では、前述の操作部１１２を介し、マイク１２０を介した録音を開始する旨の所定の録音開始操作があったかを判定する。録音開始操作があるまでループ待機し、録音開始操作があったら判定が満たされて、ステップＳ１２０に移る。
【００７２】
ステップＳ１２０では、制御回路１０１は、エンコーダ１２２等に制御信号を出力して、作成される無線タグラベルＴに関し操作者がマイク１２０から肉声で吹き込んだ音声により音声データを作成する。なお、この音声データは、無線タグ回路素子ＴｏのＩＣ回路部１５０の記憶内容に対する情報（前述の例では「これは第１２回審判弁論資料です」等）でもよいし、このようなファイル名称の音声だけでなく、そのファイル内容のページ内容を詳細に読み上げるようにしてもよい。すなわち、音声データとして無線タグ回路素子ＴｏのＩＣ回路部１５０の記憶内容そのものを再生する場合である。この場合には、操作者に対し、より詳細なかつ具体的な情報を与えることができ、利便性が向上する。また、音声データとして、無線タグラベルＴが取り付けられる対象物の配置場所等に対するガイド情報（「戸棚の３段目の左端にあります」等）を吹き込んでもよい。この場合、探索方向や探索位置の道しるべとして直接操作者をガイドすることができる。この結果、探索時間の短縮を図ることができる。
【００７３】
さらには、音声データとして、無線タグラベルＴが取り付けられる対象物の視認情報（色、大きさ、厚さ、形、見える文字、古い新しい、等の外見。例えば「赤いファイルで古い、厚いファイルです」「背表紙に○○と書いてあります」等）であってもよい。この場合、前述した本体用文言と末尾用文言とを分けて用意する場合は、例えば、探索対象を表す本体用文言の録音「第１２回審判弁論資料は赤色です」と、末尾用の部分文言の録音「を探しています」「が発見されました」とを用意しておく。そして、発見前は「第１２回審判弁論資料は赤色です」「を探しています」とつなげて再生する（すなわち、”第１２回審判弁論資料は赤色ですを探しています”という音声となる）ようにし、発見後は「第１２回審判弁論資料は赤色です」「が発見されました」とつなげて再生する（すなわち、”第１２回審判弁論資料は赤色ですが発見されました”という音声となる）ようにすれば足りる。
【００７４】
ステップＳ１２５では、前述の操作部１１２を介し、録音を終了する旨の所定の録音終了操作があったかを判定する。録音終了操作があるまではステップＳ１２０に戻って音声データ作成処理を継続する。録音終了操作があったら判定が満たされて、ステップＳ１３０に移る。
【００７５】
次のステップＳ１３０では、制御回路１０１は、上記ステップＳ１１０でＰＣ２００より受信した印字データに基づき、印字ヘッド１０５でタグテープ１０３の所定の印字領域Ｓに印字Ｒを行う。また、高周波回路１０２によりアクセス情報を生成して装置側アンテナ１０６を介して無線タグ回路素子Ｔｏへ送信し、ＩＣ回路部１５０へ上記タグＩＤを含む対象物情報の書き込みを行う。
【００７６】
次のステップＳ１４０では、制御回路１０１は、上記ステップＳ１３０で行った印字・情報書き込みが正常に終了したか否かの判定を行う。例えば情報書き込みが正常に終了したか否かの判定は、具体的には、高周波回路１０２により無線タグ回路素子ＴｏのＩＣ回路部１５０の内容を確認する確認信号に応じたアクセス情報を生成して、装置側アンテナ１０６を介して無線タグ回路素子Ｔｏへ送信し、それに対応して書き込み対象の無線タグ回路素子Ｔｏから送信されたリプライ信号に基づき、上記タグＩＤ等の書き込みが正常に完了したか否かを判定することにより行う。印字・情報書き込みが正常に終了していない場合には、ステップＳ１５０に移る。
【００７７】
ステップＳ１５０では、制御回路１０１は、ネットワーク通信制御部１０９及び通信回線ＮＷを介してＰＣ２００の制御回路２０５に制御信号を送信し、表示部２０１にその旨の表示（例えば「印字が正常に終了しませんでした」「タグ書き込みが正常に終了しませんでした」等）を行わせるエラー処理を行う。また、併せてデータベースＤＢ内の対応する音声データを消去あるいは無効化するようにしてもよい。一方、印字・情報書き込みが正常に終了した場合には、ステップＳ１７０に移る。
【００７８】
ステップＳ１６０では、制御回路１０１は、カッタ１０７でタグテープ１０３の切断を行って無線タグ回路素子Ｔｏを備えた無線タグラベルＴを作成する。
【００７９】
次のステップＳ１７０では、制御回路１０１は、作成した無線タグラベルＴのタグ書き込み情報（タグＩＤ、対象物情報等）、及び音声データをそれぞれ対応付けた対応付け情報を生成し、ネットワーク通信制御部１０９、通信回線ＮＷを介してサーバ４００のデータベースＤＢにその対応付け情報を送信し（音声データ出力手段）、格納保持する。そして、本フローを終了する。
【００８０】
以上において、上記対応付け情報は、特許請求の範囲各項記載の音声関連情報に相当する。
【００８１】
なお、上記フローは本発明を上記フローに示す手順に限定するものではなく、発明の趣旨及び技術的思想を逸脱しない範囲内で手順の追加・削除又は変更等をしてもよい。例えば、タグラベル作成装置１００においてマイク１２０で音声を入力して音声データを作成しデータベースＤＢに送信したのに代えて、例えばＰＣ２００において付属のマイク（第２音声入力手段）で音声を入力し、ＰＣ２００に付属又は取り込んだエンコーダソフトウエアを利用して音声データを作成しデータベースＤＢに送信するようにしてもよい。
【００８２】
図１１は、上記のようにしてタグラベル作成を行った後のデータベースＤＢのデータ内容の一例を概念的に示す図である。
【００８３】
図１１に示すように、データベースＤＢには、作成された無線タグラベルＴについて、無線タグ回路素子Ｔｏに書き込まれたタグＩＤ、物品名（この例では文書名「第１２回審判  弁論資料」）等のテキストデータからなる対象物情報、音声データ（以下適宜、「個別音声データ」という）、及び必要に応じて代表音声データがそれぞれ対応付けられ、対応付け情報として格納保持されている。
【００８４】
ここで、代表音声データとは、複数の無線タグラベルＴどうしで互いに音声データの共通性がある場合（例えば対象物が同一のグループに属する、対象物の配置箇所が同一のグループあるいは近傍箇所である等）において、その共通性に対応した内容の（同一の）音声データを、それら複数の無線タグラベルＴのそれぞれの無線タグ回路素子Ｔｏに記憶させたものである。
【００８５】
一例としては、各無線タグ回路素子Ｔｏの共通性を表すために、それぞれの個別音声データとは別に録音した音声データがある。例えば、上記の例で第１２回審判の資料に係る代表音声データを、個別音声データに共通する部分を別途に総称して録音した「第１２回審判です」とし、弁論資料に設けられる無線タグラベルＴに係る個別音声データが「弁論資料です」、補足資料に係る代表音声データが「補足資料です」とする場合が考えられる。なお、この場合の個別音声には、前述のガイド情報や、視認情報等が入っていてもよい。
【００８６】
代表音声データの他の例としては、各無線タグ回路素子Ｔｏの音声データどうしのうち共通する部分の抜粋データが考えられる。例えば、第１２回審判の資料のうち、弁論資料に設けられる無線タグラベルＴに係る個別音声データが「第１２回審判の弁論資料です」であり、補足資料に設けられる無線タグラベルＴに係る代表音声データが「第１２回審判の補足資料です」であった場合に、代表音声データをそれらに共通する部分を抜粋した「第１２回審判」とする場合が考えられる。
【００８７】
次に、無線タグ通信装置３００と無線タグ回路素子Ｔｏとの間で送受される信号とその送受方法について、国際規格ＩＳＯ／ＩＥＣ１８０００−６  ＴｙｐｅＣのプロトコルを例に挙げて説明する。図１２は、無線タグ通信装置３００と１つの上記無線タグ回路素子Ｔｏとの間で送受される信号のタイムチャートの一例を示す図である。なお、この図１２に示す信号の送受方法は、公知のＳｌｏｔｔｅｄ  Ｒａｎｄｏｍ方式に基づくものであり、図中では左側から右側に向かって時系列変化するよう示している。また、無線タグ通信装置３００と無線タグ回路素子Ｔｏとの間に記載されている矢印は信号の送信方向を示しており、送信相手が不特定である場合には破線で示し、送信相手が特定されている場合には実線で示している。
【００８８】
この図１２において、無線タグ通信装置３００はまず最初に通信可能領域内に存在する全ての無線タグ回路素子Ｔｏに対して「Select」コマンドを送信する。この「Select」コマンドは、それ以降に無線タグ通信装置３００が無線通信を行う無線タグ回路素子Ｔｏの条件を指定するコマンドであり、各種の条件を指定して情報の読み取り対象とする無線タグ回路素子Ｔｏの個数を限定し、無線通信の効率化を図ることができる。そして、この「Select」コマンドを受信した無線タグ回路素子Ｔｏのうちで、指定された条件を満たす無線タグ回路素子Ｔｏだけがその後に無線通信を行える状態となる（図中ではこの条件を満たす一つ無線タグ回路素子Ｔｏのみを示している）。
【００８９】
次に無線タグ通信装置３００は、同じ無線タグ群に対してそれぞれのタグ情報（識別情報であるタグＩＤを含む）を応答発信させるよう要求する「Query」コマンド（読み取りコマンド）を送信する。この「Query」コマンドは、応答すると予想される無線タグ回路素子Ｔｏの数が不確定な条件下において探索を行うための探索指令である。この「Query」コマンドには、所定の数（例えばこの例で０から１５までのいずれかの値）で指定するスロット数指定値Ｑが含まれている。高周波回路３３１からリーダアンテナ３０２を介し「Query」コマンドが送信されると、各無線タグ回路素子Ｔｏは０から２Ｑ−１（＝２のＱ乗−１）までの乱数を乱数発生器１５８により生成し、スロットカウント値Ｓとして保持する。
【００９０】
そして無線タグ通信装置３００がリーダアンテナ３０２を介して該「Query」コマンドを送信後、所定の識別スロットで無線タグ回路素子Ｔｏからの応答を待ち受ける。この識別スロットとは、この「Query」コマンド、又は後述する「QueryRep」コマンドを始めに送信してから所定の期間で区分される時間枠である。識別スロットは、通常、所定回数（「Query」コマンドの第１識別スロット１回と「QueryRep」コマンドの第２以降の識別スロット２Ｑ−１回の計２Ｑ回）が連続して繰り返される。
【００９１】
そして、図示の例のように無線タグ回路素子Ｔｏでスロットカウント値Ｓとして値０を生成したものは、この「Query」コマンドを含んだ第１識別スロットで応答する。このとき、当該無線タグ回路素子Ｔｏはタグ情報を送信する許可を得るための例えば１６ビットの擬似乱数を用いた「RN16」コマンドを応答信号として無線タグ通信装置３００へ送信する。
【００９２】
そして、この「RN16」コマンドを受信した無線タグ通信装置３００は、この「RN16」コマンドに対応する内容でタグ情報の送信を許可する「Ack」コマンドを送信する。この「Ack」コマンドを受信した無線タグ回路素子Ｔｏは、その無線タグ回路素子Ｔｏ自身が先に送信した「RN16」コマンドと受信した「Ack」コマンドが対応していると判断した場合に、当該無線タグ回路素子Ｔｏの個体がタグ情報の送信を許可されたものとみなしてタグ情報（タグＩＤ含む）を送信する。このようにして、一つの識別スロットにおける信号の送受信が行われる。
【００９３】
その後、さらに２番目以降の識別スロットでは、無線タグ通信装置３００は「Query」コマンドの代わりに「QueryRep」コマンドを送信し、その直後に設けられる識別スロット時間枠で他の無線タグ回路素子Ｔｏ（特に図示せず）の応答を待つ。「QueryRep」コマンドを受信した各無線タグ回路素子Ｔｏは自身の上記スロットカウント値Ｓの値を一つだけ減算して保持し、該スロットカウント値Ｓが値０になった時点の識別スロットで「RN16」コマンドを初めとした信号の送受信を無線タグ通信装置３００との間で行う。
【００９４】
なお、各識別スロットで該当する無線タグ回路素子Ｔｏ（当該識別スロットでスロットカウント値Ｓが０となるもの）がない場合には、「Query」コマンド又は「QueryRep」コマンド以外の送受信が行われないまま所定の時間枠でその識別スロットを終了する。
【００９５】
このように各無線タグ回路素子Ｔｏが異なる識別スロットで応答信号を返信することで、リーダアンテナ３０２を介し、無線タグ通信装置３００は混信を受けることなく一つ一つの無線タグ回路素子Ｔｏのタグ情報を明確に受信し取り込むことができる。そして以上のように「Select」コマンドが送信されてから、「Query」コマンドの送信で始まる第１識別スロット（１回）と、その後の第２識別スロット以降の「QueryRep」コマンドの送信で始まる識別スロットを所定数（通常２Ｑ−１回）繰り返して行うまでの処理単位を読み取り試行処理という（識別スロットは全部で通常２Ｑ個である）。また、無線タグ通信装置３００がこの読み取り試行処理を行う回数を読み取り試行回数という。
【００９６】
図１３は、探索対象を探索する際に無線タグ通信装置３００の制御回路３３３によって行われる制御手順を示すフローチャートである。
【００９７】
まずステップＳ２０５では、制御回路３３３は、通信回線ＮＷを介してサーバ４００のデータベースＤＢにアクセスし、データベースＤＢに格納された全て（又は一部でもよい）の無線タグラベルＴに関する対応付け情報（タグＩＤ、対象物情報、及び音声データを含む）を取得する。なお、これらのデータは制御回路３３３が有するＲＡＭ３３３Ｃに一時的に記憶される。
【００９８】
次のステップＳ２１０では、制御回路３３３は、上記取得したデータのうちの対象物情報に含まれる物品名情報に基づき、表示部３１３に制御信号を出力して物品名の一覧を表示させる。なお、ここでは物品名の一覧を表示するようにしたが、これに限られず、タグＩＤの一覧を表示させてもよいし、音声データの一覧を表示させてもよい。
【００９９】
次のステップＳ２１５では、制御回路３３３は、処理モードが上記シングルサーチモードであるか上記マルチサーチモードであるかを判定する。操作者がモード選択キー３２１を用いてシングルサーチモードを選択した場合には、次のステップＳ２２０に移ってシングルサーチモードに移行し、さらに次のステップＳ２２５で上記ステップＳ２１０で表示した物品名一覧の中から操作者が操作部３２６，３２７を用いて探索対象である１つの物品名を選択したか否かを判定する。１つの物品が選択されるまで本ステップを繰り返し、選択されたら次のステップＳ２３０に移る。
【０１００】
なお、上記では操作者が物品名一覧の中から物品名を選択入力するようにしたが、これに限られず、上述したように例えばタグＩＤや音声データの一覧を表示させる場合には、それらの一覧の中から所望のタグＩＤや音声データを選択入力するようにしてもよい。また、物品名一覧が多数であるような場合には、効率の良い検索を行うために、操作者が検索条件を入力して検索できるようにしてもよい。
【０１０１】
ステップＳ２３０では、制御回路３３３は、上記ステップＳ２２５で選択された物品に係るタグＩＤ及び音声データを取得する（ＲＡＭ３３３Ｃに記憶されている）。
【０１０２】
次のステップＳ３００では、１つの物品の探索を行うシングルサーチモード処理（詳細手順は後述の図１４参照）を行う。そして、本フローを終了する。
【０１０３】
一方、上記ステップＳ２１５において、操作者がモード選択キー３２２を用いてマルチサーチモードを選択した場合には、次のステップＳ２３５に移ってマルチサーチモードに移行し、さらに次のステップＳ２４０で上記ステップＳ２１０で表示した物品名一覧の中から操作者が操作部３２６，３２７を用いて探索対象である複数の物品を選択したか否かを判定する。複数の物品が選択されるまで本ステップを繰り返し、選択されたら次のステップＳ２４５に移る。
【０１０４】
ステップＳ２４５では、制御回路３３３は、上記ステップＳ２４０で選択された複数の物品に係るタグＩＤ、音声データ（個別音声データ）、及び必要に応じて上記代表音声データを取得する（ＲＡＭ３３３Ｃに記憶されている）。
【０１０５】
次のステップＳ４００では、複数の物品の探索を行うマルチサーチモード処理（詳細手順は後述の図１５参照）を行う。そして、本フローを終了する。
【０１０６】
以上において、上記ステップＳ２０５の手順は、各請求項記載の音声関連情報取得手段を構成する。
【０１０７】
なお、上記フローチャートは本発明を上記フローに示す手順に限定するものではなく、発明の趣旨及び技術的思想を逸脱しない範囲内で手順の追加・削除又は変更等をしてもよい。例えば、上記ではステップＳ２０５で全タグラベルに関する音声データについてもデータベースＤＢから無線タグ通信装置３００にダウンロードするようにしたが、これに限られず、例えばステップＳ２０５では音声データを除くタグＩＤや物品名等の情報のみダウンロードしておき、これらタグＩＤのリスト又は物品名のリストから対象物が選択されて初めて、当該対象物に対応する無線タグラベルＴの音声データをデータベースＤＢから取得するようにしてもよい。このようにすることで、無線タグ通信装置３００が有する記憶手段（ＲＡＭ等）の容量を節減できる。
【０１０８】
図１４は、上記ステップＳ３００のシングルサーチモード処理の詳細手順を表すフローチャートである。
【０１０９】
まずステップＳ３０５では、制御回路３３３は、上記ステップＳ２３０で取得した音声データを音声デコーダ３３６に出力し、これにより復号化した音声をアンプ３３８で増幅してスピーカ３２８へ出力させる。これにより、探索対象である文書ファイルＦに関する音声データ、例えば「第１２回審判弁論資料を探しています」がスピーカ３２８より再生される。
【０１１０】
次のステップＳ３１０では、制御回路３３３は、高周波回路３３１及びリーダアンテナ３０２を介し、上記ステップＳ２３０で取得した１つのタグＩＤを指定して「Select」コマンド信号を送信する。
【０１１１】
次のステップＳ３２０では、制御回路３３３は、上記「Select」コマンド信号と同様に「Query」コマンド信号を送信する。なおこのとき、スロット数指定値Ｑは２０（＝１）に指定されている。
【０１１２】
次のステップＳ３３０では、制御回路３３３は、リーダアンテナ３０２及び高周波回路３３１を介し、所定の時間の間だけ無線タグ回路素子Ｔｏからの応答信号を受信する。その後、ステップＳ３４０において、制御回路３３３は、その受信時間の間に応答信号として「RN16」コマンドを受信したか否かを判定する。この判定において、「RN16」コマンドが受信されていない場合、判定が満たされず、すなわち当該識別スロット（ここでは第１識別スロット）で応答する無線タグ回路素子Ｔｏがないものとみなされて、上記ステップＳ３１０へ戻る。一方、「RN16」コマンドが受信された場合、判定が満たされ、すなわち当該識別スロット（第１識別スロット）で応答する無線タグ回路素子Ｔｏが存在するとみなして、次のステップＳ３５０へ移る。
【０１１３】
ステップＳ３５０では、制御回路３３３は、高周波回路３３１及びリーダアンテナ３０２を介し、上記ステップＳ３３０で受信された「RN16」コマンドに含まれている疑似乱数に対応する内容の「Ack」コマンドを送信する。その後、ステップＳ３６０において、制御回路３３３は、リーダアンテナ３０２及び高周波回路３３１を介し、無線タグ回路素子Ｔｏからタグ情報を受信する。その後、ステップＳ３７０において、制御回路３３３は、その受信したタグ情報中にタグＩＤが含まれるか否か（言い換えればタグＩＤの受信に成功したか否か）を判定する。タグＩＤが含まれていない場合には、判定が満たされずに先のステップＳ３１０に戻る。一方、タグＩＤが含まれている場合には、判定が満たされてステップＳ３８０に移る。
【０１１４】
ステップＳ３８０では、制御回路３３３は、上記ステップＳ３０５で再生を開始した音声データを一部変更した（見つかったことに対応した内容の）音声データを音声デコーダ３３６に出力し、これにより復号化した音声をアンプ３３８で増幅してスピーカ３２８より再生させる。これにより、例えばスピーカ３２８からは「第１２回審判弁論資料が見つかりました」の音声データが再生される。なお、前述のように本体用文言と末尾用文言とを分けて用意しておく場合には、例えば「第１２回審判弁論資料です」「が見つかりました」、あるいは、「棚の上にある第１２回審判弁論資料です」「を見つけました」等のように、それぞれつなげて再生される。
【０１１５】
以上において、上記ステップＳ３１０〜ステップＳ３６０が、各請求項記載のタグ情報取得手段を構成する。それらのうち、上記ステップＳ３２０は、問い合わせ信号送信手段を構成し、ステップＳ３４０は、応答信号受信手段を構成する。さらに、上記ステップＳ３０５及びステップＳ３８０は、再生制御手段を構成する。
【０１１６】
なお、上記フローチャートは本発明を上記フローに示す手順に限定するものではなく、発明の趣旨及び技術的思想を逸脱しない範囲内で手順の追加・削除又は変更等をしてもよい。例えばステップＳ３８０において、上記では再生制御手段により音声データの内容を変更して、内容を強調した音声データにより「第１２回審判弁論資料が見つかりました」の音声を再生したが、その他にも、「第１２回審判弁論資料です」「第１２回審判弁論資料です」「第１２回審判弁論資料です」と連呼する音声を再生するようにしてもよい。
【０１１７】
図１５は、上記ステップＳ４００のマルチサーチモード処理の詳細手順を表すフローチャートである。
【０１１８】
まずステップＳ４０５では、制御回路３３３は、リストに含まれる複数のタグＩＤをカウントするための変数Ｎの値を０にリセットする。
【０１１９】
次のステップＳ４０７では、制御回路３３３は、上記ステップＳ２４５で取得した代表音声データを音声デコーダ３３６に出力し、これにより復号化した音声をアンプ３３８で増幅してスピーカ３２８へ出力させる。これにより、複数の探索対象である物品等にそれぞれ設けられた複数の無線タグラベルＴに共通する代表音声がスピーカ３２８より再生される。なお、この代表音声データの再生は、探索対象の全部が発見されるまで所定の時間間隔で繰り返し行われるように、制御回路３３３が制御することが好ましい。
【０１２０】
ステップＳ４１０では、制御回路３３３は、変数Ｎの値に１を加え、その後にステップＳ４１５でこの変数Ｎの値がＮｍａｘ（探索対象であるタグＩＤの数）以下であるか否か、すなわち複数のタグＩＤのうちの最後のタグＩＤの探索を終了したか否かを判定する。変数Ｎの値がＮｍａｘより大きい場合、全タグＩＤの探索が終了したものとみなされて、ステップＳ４６０へ移る。
【０１２１】
ステップＳ４６０では、制御回路３３３は、上記ステップＳ４０７で再生を開始した代表音声データを一部変更した（見つかったことに対応した内容の）代表音声データを音声デコーダ３３６に出力し、これにより復号化した音声（例えば、前述と同様、語尾を「〜が全て見つかりました」等）をアンプ３３８で増幅してスピーカ３２８より再生させ、本ルーチンを終了する。一方、変数Ｎの値がＮｍａｘ以下である場合、全タグＩＤの探索処理が終了していないものとみなされて、次のステップＳ４２０へ移る。
【０１２２】
ステップＳ４２０では、制御回路３３３は、高周波回路３３１及びリーダアンテナ３０２を介し、Ｎ番目の無線タグ回路素子Ｔｏに対しタグＩＤを指定して「Select」コマンド信号を送信する。
【０１２３】
次のステップＳ４２５では、制御回路３３３は、上記「Select」コマンド信号と同様に「Query」コマンド信号を送信する。なおこのとき、スロット数指定値Ｑは２０（＝１）に指定されている。
【０１２４】
次のステップＳ４３０では、制御回路３３３は、リーダアンテナ３０２及び高周波回路３３１を介し、所定の時間の間だけ無線タグ回路素子Ｔｏからの応答信号を受信する。その後、ステップＳ４３５において、制御回路３３３は、その受信時間の間に応答信号として「RN16」コマンドを受信したか否かを判定する。この判定において、「RN16」コマンドが受信されていない場合、当該識別スロット（ここでは第１識別スロット）で応答する無線タグ回路素子Ｔｏがないものとみなされて、上記ステップＳ４１０へ戻る。一方、「RN16」コマンドが受信された場合、当該識別スロット（第１識別スロット）で応答する無線タグ回路素子Ｔｏが存在するとみなして、次のステップＳ４４０へ移る。
【０１２５】
ステップＳ４４０では、制御回路３３３は、高周波回路３３１及びリーダアンテナ３０２を介し、上記ステップＳ４３０で受信された「RN16」コマンドに含まれている疑似乱数に対応する内容の「Ack」コマンドを送信する。その後、ステップＳ４４５において、制御回路３３３は、リーダアンテナ３０２及び高周波回路３３１を介し、無線タグ回路素子Ｔｏからタグ情報を受信する。その後、ステップＳ４５０において、制御回路３３３は、その受信したタグ情報中にタグＩＤが含まれるか否か（言い換えればタグＩＤの受信に成功したか否か）を判定する。タグＩＤが含まれていない場合には、判定が満たされずに先のステップＳ４１０に戻る。一方、タグＩＤが含まれている場合には、判定が満たされてステップＳ４５５に移る。
【０１２６】
ステップＳ４５５では、制御回路３３３は、上記ステップＳ４０７で再生を開始した代表音声データを一部変更した（全ファイルは見つかっていないが一部のファイルが新たに見つかったことに対応した内容の）代表音声データを音声デコーダ３３６に出力し、これにより復号化した音声（例えば「〜のうち〜が見つかりました」等）をアンプ３３８で増幅してスピーカ３２８より再生させる。なお、前述のように本体用文言と末尾用文言とを分けて用意しておく場合には、この場合は「のうち」「が見つかりました」を末尾用文言として（テーブル等に）用意しておいて用いればよい。その後、ステップＳ４０７に戻り、もとの代表音声データの再生から同様の手順を繰り返す。
【０１２７】
なお、無線タグ通信装置３００では、前述したように、手動指示により音声をさせる音声再生ボタン３３０を備えている。そして、上記フローを用いて説明したタイミング以外にも、操作者の希望する所望のタイミングで、音声データの再生を行えるようになっている。これにより、無線タグラベルＴの探索開始の際に始まった音声データの再生が（例えば予め設定した繰り返し回数が終了し）いったん終了したとしても、操作者の音声再生ボタン３３０の手動指示により再び音声データを再生させることも可能である。これにより、利便性をさらに向上できる。
【０１２８】
以上において、上記ステップＳ４２０〜ステップＳ４４５が、各請求項記載のタグ情報取得手段を構成する。それらのうおち、上記ステップＳ４２５は、問い合わせ信号送信手段を構成し、ステップＳ４３５は、応答信号受信手段を構成する。さらに、上記ステップＳ４０７、ステップＳ４５５、及びステップＳ４６０は、再生制御手段を構成する。
【０１２９】
なお、上記フローチャートは本発明を上記フローに示す手順に限定するものではなく、発明の趣旨及び技術的思想を逸脱しない範囲内で手順の追加・削除又は変更等をしてもよい。
【０１３０】
以上説明したように、本実施形態の無線タグ通信装置３００においては、リーダアンテナ３０２を介した無線通信によって、探索目的の対象物（この例では文書ファイルＦ）に設けられた無線タグラベルＴの無線タグ回路素子Ｔｏに対する情報読み取りを行う。無線タグ通信装置３００で探索が行われる際は、対象となる無線タグ回路素子ＴｏのタグＩＤを指定し、リーダアンテナ３０２を介し、上記指定した無線タグ回路素子Ｔｏからの情報取得を図る。
【０１３１】
このとき、各無線タグラベルＴは、タグラベル作成装置１００による作成時に、無線タグ回路素子ＴｏのタグＩＤと音声データとが対応付けとして予め対応付けられており、その対応付け情報がサーバ４００のデータベースＤＢに格納保持されている。そして、上記探索時において無線タグ回路素子Ｔｏから情報取得を完了する前（上記の例では探索を開始する前。ステップＳ２３０及びステップＳ２４５参照）に、データベースＤＢより上記対応付け情報が取得され、これに基づき、情報取得対象の無線タグ回路素子Ｔｏに対応する音声データが取得され、スピーカ３２８により対応する音声（前述の例では文書ファイルＦの名称等）が再生される。これにより、操作者は、探そうとする文書ファイルＦに対応した無線タグラベルＴを、見つかる前から聴覚的に認識しつつ、当該文書ファイルＦを探索することができる。この結果、対象物である文書ファイルＦの特定が容易となり、利便性を向上することができる。特に、音声であることから操作者による入力が容易であり、また、肉声であることから誰の声であるかが容易に識別できるという効果もある。
【０１３２】
また、本実施形態では特に、無線タグ通信装置３００の表示部３１３に再生時間バー３１５を設けて、スピーカ３２８による音声データの再生中に、再生開始後の経過時間又は再生終了前の残り時間を表す再生時間表示を行う。これにより、その時点で再生されている音声が、音声データ全体のどのあたりに相当するのか、あるいは音声があとどれくらい続くのか等を操作者が把握しやすくなる。この結果、さらに利便性を向上することができる。
【０１３３】
また、操作者がマルチサーチモードを選択し、複数の文書ファイルＦの探索を意図して複数の無線タグ回路素子を特定する情報Ｔｏを操作入力した場合には、それら複数の対象物には使用用途や属性等の共通点がある可能性が高い。この場合、対応する複数の無線タグラベルＴの音声データそれぞれにも、上記使用用途や属性に対応した共通部分が含まれる場合がある。これに対応して、本実施形態では特に、各無線タグラベルＴに関わる音声データ（個別音声データ）をばらばらに再生するのでなく、その共通性に関わる代表音声データを再生する。これにより、上記操作者の意図に合致したわかりやすい音声データの再生を行うことができ、複数の文書ファイルＴの探索時において、利便性をさらに向上することができる。
【０１３４】
また、本実施形態では特に、無線タグ通信装置３００による探索中において、対応する無線タグ回路素子Ｔｏからの応答信号が受信されると、スピーカ３２８で再生されている無線タグラベルＴの音声データは強調された内容に態様が変わ
る。これにより、探索が成功したことを操作者に対し聴覚的に確実に認識させることができる。
【０１３５】
なお、以上では音声データをデータベースＤＢ内に格納したが、これに限られず、無線タグ通信装置３００内に格納するようにしてもよい。この場合、再生時に、ネットワークを介さなくてすむことから音声再生処理が迅速となるという効果がある。
【０１３６】
なお、以上においては、無線タグとして、タグラベル作成装置３００で作成した無線タグラベルＴを用いる場合を例にとって説明したが、これに限られない。例えば無線タグとして、その他の態様のもの、例えばカード状のタグカード（ＩＣカード）を用いる場合等についても本発明を適用でき、前述と同様の効果を得ることができる。
【０１３７】
また、以上既に述べた以外にも、上記実施形態や各変形例による手法を適宜組み合わせて利用しても良い。
【０１３８】
その他、一々例示はしないが、本発明は、その趣旨を逸脱しない範囲内において、種々の変更が加えられて実施されるものである。
【図面の簡単な説明】
【０１３９】
【図１】本実施形態の無線タグ通信装置を有する無線タグラベルの音声管理システムの全体構成を表すシステム構成図である。
【図２】無線タグ通信装置の全体的な外観を表す平面図である。
【図３】音声管理システムのシステム全体の機能構成を概念的に表すシステム構成図である。
【図４】無線タグ通信装置の制御回路の機能構成を表す機能ブロック図である。
【図５】無線タグ通信装置の高周波回路の機能構成を示す機能ブロック図である。
【図６】無線タグ回路素子の機能的構成の一例を示す図である。
【図７】タグラベル作成装置で作成された無線タグラベルの外観の一例を表す平面図及び断面図である。
【図８】無線タグラベルの音声データの再生が何もない比較例の場合の探索の様子を示す説明図である。
【図９】情報取得完了前の無線タグラベルの音声データの再生がある本実施形態の場合の探索の様子を示す説明図である
【図１０】無線タグラベルを作成する際にタグラベル作成装置の制御回路によって実行される制御手順を表すフローチャートである。
【図１１】タグラベル作成を行った後におけるデータベースのデータ内容の一例を概念的に表す図である。
【図１２】無線タグ通信装置と１つの上記無線タグ回路素子との間で送受される信号のタイムチャートの一例を表す図である。
【図１３】探索対象を探索する際に無線タグ通信装置の制御回路によって行われる制御手順を表すフローチャートである。
【図１４】ステップＳ３００のシングルサーチモード処理の詳細手順を表すフローチャートである。
【図１５】ステップＳ４００のマルチサーチモード処理の詳細手順を表すフローチャートである
【符号の説明】
【０１４０】
１              無線タグの音声管理システム
１００          タグラベル作成装置
１０３          タグテープ（タグ媒体）
１０５          印字ヘッド（印字手段）
１０６          装置側アンテナ
１０８          搬送ローラ（搬送手段）
１２０          マイク（音声入力手段）
１５０          ＩＣ回路部
１５１          タグアンテナ
２００          ＰＣ
３００          無線タグ通信装置
３０２          リーダアンテナ（無線通信手段）
３１３          表示部
３２１〜３２７  キー（操作手段）
３２８          スピーカ（音声再生手段）
３２９          開始／停止キー（操作手段）
ＤＢ            データベース
Ｔ              無線タグラベル
Ｔｏ            無線タグ回路素子
【図１】
2009237647.tif 000003
【図２】
2009237647.tif 000004
【図３】
2009237647.tif 000005
【図４】
2009237647.tif 000006
【図５】
2009237647.tif 000007
【図６】
2009237647.tif 000008
【図７】
2009237647.tif 000009
【図８】
2009237647.tif 000010
【図９】
2009237647.tif 000011
【図１０】
2009237647.tif 000012
【図１１】
2009237647.tif 000013
【図１２】
2009237647.tif 000014
【図１３】
2009237647.tif 000015
【図１４】
2009237647.tif 000016
【図１５】
2009237647.tif 000017